(57)【特許請求の範囲】
【請求項１】
照明装置の開口部の周側面部に布体挿入部を設け、
前記開口部を透光性を有する布体で被覆し、当該布体の周縁部を開口部周側面部に沿って巻き上げ、巻き上げた時に重複する布体部分を前記布体挿入部に挿入し、この挿入状態を維持するように布体を照明装置に固定してなる構成を有する布体被覆照明装置。
【請求項２】
照明装置の開口部を形成するフレームであって、その側面部に、前記開口部を透光性を有する布体で被覆し、当該布体の周縁部を開口部周側面部に沿って巻き上げ、巻き上げた時に重複する布体部分を挿入する布体挿入部を設けてなる構成を有する布体被覆用照明装置フレーム。
【発明の詳細な説明】
【０００１】
【発明の属する技術分野】
本発明は、照明装置の開口部を透光性を有する布体で被覆してなる布体被覆照明装置及びこれに好適な布体被覆用照明装置フレームに関する。
【０００２】
【従来の技術】
近年、図１に示すように、照明装置下面の開口部５１を透光性に優れたガラス繊維布などの布体２０で被覆してなる布体被覆照明装置５０が美術館や博物館などを中心に設置され始めている。これは、照明装置下面の開口部５１を透光性に優れた布体で被覆することにより、作品や展示物の鑑賞の妨げとなる眩しさや影の発生を防ぐことができることが一つの要因である。
【０００３】
ところで、このような布体被覆照明装置５０の形成方法は、図２に示すように、先ず、フレーム５２の下面に布体２０をあてがい、次に図３（Ａ）に示すように、布体２０の周縁部をフレーム５２の側面に沿って巻き上げ、この時、布体２０の重複部（図の弛んだ部分）２０Ａを、図３（Ｂ）又は（Ｃ）に示すように、重合させてフレーム５２側面の布体２０上に折り重ね（図の三角形部分）、次いで、図３（Ｄ）に示すように、前記巻き上げた布体２０端縁部をフレーム５２側面部に設けた係止溝５２Ａ内に折り込み、ここにゴム体等からなる係止枠５３を押し込んで当該端縁部を固定して布体２０をフレーム５２に取り付けて照明装置を形成した。
【０００４】
【発明が解決しようとする課題】
しかし、上記のように形成した場合、布体２０の重複部分２０Ａを折り重ねた部分が盛り上がり、照明装置の開口部周側面すなわちフレーム５２外周面を平坦に仕上げることができないという問題があった。
【０００５】
そこで本発明は、上記の問題点を解決すべく、照明装置の開口部を布体で被覆する場合に、照明装置の開口部周側面に布体が折り重なった部分を形成することなく、かかる開口部周側面を平坦に仕上げることができる布体被覆照明装置及び布体被覆用照明装置フレームを提供せんとするものである。
【０００６】
【課題を解決するための手段】
上記課題解決のための本発明の布体被覆照明装置は、照明装置の開口部の周側面部に布体挿入部を設け、前記開口部を透光性を有する布体で被覆し、当該布体の周縁部を開口部周側面部に沿って巻き上げ、巻き上げた時に重複した布体部分を前記布体挿入部に挿入し、この挿入状態を維持するように布体を照明装置に固定してなる構成を有するものである。
また、本発明の布体被覆用照明装置フレームは、照明装置の開口部を形成するフレームであって、その側面部に布体挿入部を設けてなる構成を有するものである。
【０００７】
【発明の実施の形態】
以下、本発明に係る布体被覆照明装置及び布体被覆用照明装置フレームの実施形態を図面を用いて説明する。
【０００８】
本発明に係るフレーム１は、図１に示されるように、照明装置５０の下面開口部５１を形成するフレーム（枠体）であって、フレーム本体１Ａは下面開口部５１を囲む側面１Ｂ上にこれに沿って外側に開口した係止溝１Ｃを備え、当該側面１Ｂの適宜箇所に布体２０を挿入し得る布体挿入部２を形成してなっている。
なお、フレーム本体１Ａの形状は、図１に示すような、角部を有する方形状に限定するものではなく、コーナー部分が曲線的に形成された方形状、円形状、楕円形状、その他任意の形状を採用することができる。
【０００９】
ここで、布体挿入部２は、布体２０をフレーム本体１Ａ内側に挿入できるように形成されていれば形状を特に限定しないが、布体挿入時にこの布体挿入部２が外観上目立たずしかも挿入した布体を係止しやすいという点等から、図４に示すように、スリット状に形成するのが好ましい。また、装着した状態の布体２０に皺ができにくいという点からフレーム側面１Ｂの全幅に渡って形成するのが好ましい。
【００１０】
布体挿入部２を設ける位置は、図１に示すような角部を有する方形状のフレーム本体１Ａにおいては、布体２０の周縁部をフレーム側面１Ｂに沿って巻き上げるとコーナー部分の布体２０が重複する（だぶつく）から、図４に示すようなフレーム本体１Ａの各コーナー部分に形成するのが好ましい。他方、コーナー部分が曲線的に形成された方形状、円形状、或いは楕円形状などの角部を有しない形状のフレーム本体１Ａにおいては、特にコーナー部分に限らず適宜箇所に形成すればよい。
【００１１】
布体２０には、優れた透光性と耐熱性を有するガラス繊維布、例えばガラス繊維布を両面をシリコン樹脂でコーティングしてなる布体（商品名：アートシェード、ＡＢＣ商会社製）などを好適に用いることができ、好ましくは図５に示すように、下面開口部５１を被覆する下面被覆部２０ａ、この周囲にフレーム側面１Ｂを被覆する側面被覆部２０ｂ、さらにこの周囲に係止溝１Ｃ内に折り込まれる差し込み縁部２０ｃを備えてなる方形状に形成し、特に好ましくは、差し込み縁部２０ｃを折り込みやすくするために、前記方形状の角部を適宜、好ましくは側面被覆部２０ｂの角部に接するように切除して切除角部２０ｄとなるように形成する。
【００１２】
上記構成のフレーム本体１Ａを使用すれば、例えば、先ず、図６（Ａ）に示すように、布体２０の下面被覆部２０ａをフレーム本体１の下面に合わせてあてがい、この時にフレーム本体１の外側にはみ出した布体２０の周囲部を、図６（Ｂ）に示すように、フレーム側面１Ｂに沿って巻き上げる。そして、この巻き上げた時に重複する布体部すなわち重複部（図のコーナーの弛んだ部分）２０Ａを、図６（Ｃ）に示すように、布体挿入部２からフレーム本体１内側に挿入し、次いで、必要に応じて布体２０のこの挿入部分をフレーム本体１Ａ内側から引っ張って布体２０の側面被覆部２０ｂをフレーム側面１Ｂに密着させ、図６（Ｄ）に示すように、差し込み縁部２０ｃを係止溝１Ｃ内に折り込み、ここにゴム体等の弾性体からなる係止枠５３を押し込んで布体２０をフレーム本体１Ａに固定する。このようにすれば、開口部周側面すなわちフレーム側面１Ｂを平坦に仕上げることができる。
【００１３】
ここで、布体２０をフレーム本体１Ａに固定する手段としては、例えば、フレーム本体１Ａ内側に引っ張り込んだ布体２０の基端部分、すなわちフレーム本体１Ａ内側から見て布体挿入部２に沿った布体部分をステーパーなどで結着し、次いで引っ張り込んだ布体２０をフレーム１の内側面に接着その他の固着手段で固定するなどのその他の固定手段も採用することができる。
【図面の簡単な説明】
【図１】従来の布体被覆照明装置及び布体被覆用照明装置フレームの構成例を示す断面図である。
【図２】従来の布体被覆照明装置の形成方法を示す分解斜視図（一部断面）である。
【図３】同じく、従来の布体被覆照明装置の形成方法を示す斜視図であって、（Ａ）〜（Ｄ）はその各工程を示している。
【図４】本発明の布体被覆用照明フレームの一例を示した部分拡大斜視図である。
【図５】照明開口部被覆用の布体の一例を示した平面図である。
【図６】本発明の布体被覆照明装置の製造方法の一例を示す工程図であり、（Ａ）〜（Ｄ）はその各工程を示している。
【符号の説明】
１      フレーム
１Ａ    フレーム本体
１Ｂ    フレーム側面
１Ｃ    係止溝
２      布体挿入部
２０    布体
２０Ａ  重複部
２０ａ  下面被覆部
２０ｂ  側面被覆部
２０ｃ  差し込み縁部
２０ｄ  切除角部
５１    開口部
５０    布体被覆照明装置
５２    フレーム
５２Ａ  係止溝
５３    係止枠
【図１】
0004170462.tif 000002
【図２】
0004170462.tif 000003
【図３】
0004170462.tif 000004
【図４】
0004170462.tif 000005
【図５】
0004170462.tif 000006
【図６】
0004170462.tif 000007